(57)【要約】【課題】入出力デバイスに、信頼性の高い処理実行を可能にする。【解決手段】映像表示制御装置１２１は、地点Ｂの映像表示制御装置２２１から通信メッセージＭ２０３を受信して、そのサービスＩＤから地点Ａの機器状態ＤＢ１２３を検索して、抽出されたデータと地点Ａの機器状態ＤＢ１２３のサービス定義情報を比較する。それぞれの項目に合致もしくは範囲内であるものが存在しない場合、地点Ａの機器状態ＤＢ１２３の機器ＩＤ、ＩＰアドレス、デバイス種別をキー項目として、地点Ａの機器機能モジュールリストＤＢ１２２を検索し、該当するモジュールが存在する場合、機器モジュールリスト情報とサービス定義情報を比較する。それぞれの項目に合致もしくは範囲内であるものが存在するかどうか判別し、ソフトウェアモジュールが存在する場合、地点Ａの映像出力制御装置１１１に対してサービスの実行を指示する。【選択図】図１
2008146316.tif 000002
【特許請求の範囲】
【請求項１】
外部ネットワーク上に存在するソフトウェア配信サーバと、地点Ａと地点Ｂに存在する少なくとも一つの表示デバイス及び表示デバイス用通信アダプタと、地点Ａと地点Ｂに存在する少なくとも一つの入出力デバイス及び入出力デバイス用通信アダプタとを備えたネットワークシステムであって、
地点Ａの表示デバイス用通信アダプタが地点Ａのネットワーク上で他の通信アダプタの入出力機能・デバイス状態情報を検出する検出手段と、
地点Ａの表示デバイス用通信アダプタが地点Ｂの配信コンテンツ形式情報と地点Ａの入出力デバイスの入出力機能との機能適合性を判定するデバイス機能判定・調停手段と、
前記機能判定・調停手段により適合しないと判断された場合に、地点Ｂの配信コンテンツ形式情報と地点Ａの入出力デバイスが保有するソフトウェアの機能適合性を判定するソフトウェア機能判定・調停手段と、
前記ソフトウェア機能判定・調停手段でも存在しないと判断された場合には、地点Ｂの配信コンテンツ形式情報と地点Ｂの入出力デバイスが保有するソフトウェアの機能適合性を判定するソフトウェア機能判定・調停手段と、
地点Ａの各通信アダプタに対してインストールするソフトウェアモジュールを通知する通知手段と、
通知を受けた地点Ａの通信アダプタが指定されたソフトウェアモジュールをインストールするインストール手段とを備えたことを特徴とするネットワークシステム。
【請求項２】
地点Ａの入出力デバイス用通信アダプタが地点Ａの入出力デバイスの入出力機能・デバイス状態情報を収集することを特徴とする請求項１に記載のネットワークシステム。
【請求項３】
地点Ａの入出力デバイス用通信アダプタが地点Ｂの配信コンテンツ形式情報と地点Ａの入出力デバイスの入出力機能内容を比較し、入出力可能な範囲内であるかを判定する機能を有することを特徴とする請求項１に記載のネットワークシステム。
【請求項４】
地点Ａの入出力デバイス用通信アダプタが地点Ｂの配信コンテンツ形式情報と地点Ａの入出力デバイスが保有するソフトウェアの機能内容と比較し、入出力可能な範囲内であるかを判定する機能を有することを特徴とする請求項１に記載のネットワークシステム。
【請求項５】
地点Ａの入出力デバイス用通信アダプタが前記通知を受けた地点Ａの通信アダプタが指定されたソフトウェアモジュールをインストールする工程が終了し、全てのサービスが完結した後に、前記ソフトウェアモジュールをアンインストールする機能を有すること特徴とする請求項１に記載のネットワークシステム。
【請求項６】
地点Ａの入出力デバイス用通信アダプタが前記通知を受けた地点Ａの通信アダプタが指定されたソフトウェアモジュールをインストールするインストール工程手段を実行した回数を記憶し、システムが定めた一定回数以上に達した場合に、ソフトウェア配信サーバから該ソフトウェアモジュールをダウンロードし、インストールする機能を有すること特徴とする請求項１に記載のネットワークシステム。
【発明の詳細な説明】
【技術分野】
【０００１】
本発明はデジタルカメラ、デジタルビデオカメラ、プリンタ、スキャナ、ディスプレイなどの入出力機器と、前記入出力機器に通信機能を付与する通信アダプタを用いたソフトウェアの追加・更新に好適なネットワークシステムに関するものである。たとえば、デジタルカメラにネットワーク経由で接続して、ディスプレイから画像の撮影や表示を行うシステム、また、配信コンテンツ形式情報と入出力デバイスの機能判定・調停を行い、配信コンテンツの入出力デバイスの入出力処理を効率的に行うためのシステムに関するものである。
【背景技術】
【０００２】
従来、通信を利用して入出力デバイスの機器構成を動的に変更するものとしては、下記特許文献が提案されている。その内容としては、ネットワークを通じて入出力デバイスの機器構成を動的に再構築するものがあった（例えば、特許文献１を参照）。また、複数のサービスを統括し、要求特性を抽出し、各サービスの提供方法を動的に決定するものもある（例えば、特許文献２を参照）。また、機能オプションに基づいて、所定の処理を行うことをネットワークに介して装置間で連携する画像形成装置もある（例えば、特許文献３を参照）。
【０００３】
【特許文献１】特開２００５−１８２４８１号公報
【特許文献２】特開２００５−１００３２０号公報
【特許文献３】特開２００３−２０９６５９号公報
【発明の開示】
【発明が解決しようとする課題】
【０００４】
従来技術では、入出力デバイスの入出力処理の処理実行を行うために、デバイスの機能・能力を動的に再構築することしかできないため、新たなサービスを実行した時に、機能の組み合わせの関係で機能が不足する場合には対応できないという問題点があった。
【０００５】
そこで、本発明は前記問題点を改善するために、入出力デバイス間の機能・能力を自動収集し、デバイス間による処理条件の合致を自動的に調停・判定し、必要な機能をインストールした上で、入出力デバイスに、信頼性の高い処理実行を可能にすることを目的とする。
【課題を解決するための手段】
【０００６】
本発明のネットワークシステムは、外部ネットワーク上に存在するソフトウェア配信サーバと、地点Ａと地点Ｂに存在する少なくとも一つの表示デバイス及び表示デバイス用通信アダプタと、地点Ａと地点Ｂに存在する少なくとも一つの入出力デバイス及び入出力デバイス用通信アダプタとを備えたネットワークシステムであって、地点Ａの表示デバイス用通信アダプタが地点Ａのネットワーク上で他の通信アダプタの入出力機能・デバイス状態情報を検出する検出手段と、地点Ａの表示デバイス用通信アダプタが地点Ｂの配信コンテンツ形式情報と地点Ａの入出力デバイスの入出力機能との機能適合性を判定するデバイス機能判定・調停手段と、前記機能判定・調停手段により適合しないと判断された場合に、地点Ｂの配信コンテンツ形式情報と地点Ａの入出力デバイスが保有するソフトウェアの機能適合性を判定するソフトウェア機能判定・調停手段と、前記ソフトウェア機能判定・調停手段でも存在しないと判断された場合には、地点Ｂの配信コンテンツ形式情報と地点Ｂの入出力デバイスが保有するソフトウェアの機能適合性を判定するソフトウェア機能判定・調停手段と、地点Ａの各通信アダプタに対してインストールするソフトウェアモジュールを通知する通知手段と、通知を受けた地点Ａの通信アダプタが指定されたソフトウェアモジュールをインストールするインストール手段とを備えたことを特徴とする。なお、入出力とは、入力及び出力の両方だけではなく、少なくともいずれか一方の場合も含む意味である。
【発明の効果】
【０００７】
本発明によれば、地点Ａと地点Ｂにおける入出力デバイス間の機能・能力を自動収集し、デバイス間による処理条件の合致を自動的に調停・判定し、必要な機能をインストールした上で、入出力デバイスに、信頼性の高い処理実行が可能となる。
【発明を実施するための最良の形態】
【０００８】
以下、添付図面を参照して、本発明のネットワークシステムの好適な実施形態について説明する。
＜第１の実施形態＞
本実施形態の映像表示制御装置や映像出力制御装置で構成される地点間映像出力システムについて、図１を参照して説明する。有線／無線通信規格に準拠するネットワーク上における、装置間の相互接続動作をサポートする映像データの伝送システムを前提とする。それぞれの装置は、共通のネットワークプロトコル（ＴＣＰ／ＩＰなど）で接続されている。
【０００９】
図１の地点Ｂにおいて、２２１は映像表示制御装置である。２２０は映像表示装置である。２５１はサービスリストデータベース（以下、「ＤＢ」と記す）であり、映像表示制御装置２２１が映像伝送するために提供できるサービスとユーザ情報を管理している。２２２は機器機能モジュールリストＤＢであり、ネットワーク上の装置のアプリケーション情報を管理している。２２３は機器状態ＤＢであり、ネットワーク上機器の現在状態と保有機能の情報を管理している。２１０は映像出力装置である。２１１は映像出力制御装置である。２１２は機器機能モジュールリストＤＢであり、ネットワーク上機器のアプリケーション情報を管理しており、機器機能モジュールリストＤＢ２２２と同様の情報を管理している。
【００１０】
図１の、外部ネットワーク上に存在する３００はソフトウェア配信サーバである。地点Ａと地点Ｂの映像入出力機器に必要なモジュールを全て格納しており、地点Ａと地点Ｂの双方に送信可能であることを前提とする。
【００１１】
地点Ａにおいて、１２１は映像表示制御装置である。１２０は映像表示装置である。１５１はサービスリストＤＢであり、映像表示制御装置１２１が映像伝送するために提供できるサービスとユーザ情報を管理している。１２２は機器機能モジュールリストＤＢであり、ネットワーク上機器のアプリケーション情報を管理している。１２３は機器状態ＤＢであり、ネットワーク上機器の現在状態と保有機能の情報を管理している。１１０は映像出力装置である。１１１は映像出力制御装置である。１１２は機器機能モジュールリストＤＢであり、ネットワーク上機器のアプリケーション情報を管理しており、機器機能モジュールリストＤＢ１２２と同様の情報を管理している。
【００１２】
本システムのユーザは、地点Ａと地点Ｂにおける映像伝送処理の利用登録を完了していることを前提とする。
【００１３】
まず、本実施形態のシークエンスとデータフローの図について説明する。図２は、本実施形態の全体フローである。図３は、図２で呼び出される処理Ｓ３０００〜処理Ｓ３９９９のフローチャートである。図４は、図２で呼び出される処理Ｓ４０００〜処理Ｓ４９９９のフローチャートである。図５は、図４で呼び出される処理Ｓ５０００〜処理Ｓ５９９９のフローチャートである。
【００１４】
図６は、サービスリストＤＢ１５１、２５１のデータベース構成を示す図である。ＤＢレイアウト６０１とＤＢレイアウト６０２は表形式のテーブルとなっており、階層的に紐付けされた形となっている。ＤＢレイアウト６０１は、ＫＥＹ部の項目を１つ持っており、地点Ａと地点Ｂにおける映像伝送処理の利用登録されたユーザＩＤである。必須項目である。それぞれ、１つ又は複数の地点Ａと地点Ｂの映像伝送処理のサービスＩＤが格納されている。該サービスＩＤは、前記ＤＢレイアウト６０２のＫＥＹ部の項目であるサービスＩＤと紐付けされている。紐付けされていないサービスＩＤは存在しないことを前提とする。該データ部では、サービスの具体的な内容が記憶されている。
【００１５】
図７は、機器状態ＤＢ１２３、２２３のデータベース構成を示す図である。図８は、機器機能モジュールリストＤＢ１１２、１２２、２１２、２２２のデータベース構成を示す図である。図９は、通信メッセージＭ２０１：現在の機器状態情報を示す図である。図１０は、通信メッセージＭ２０２：映像伝送要求情報を示す図である。図１１は、通信メッセージＭ２０３：サービス定義情報を示す図である。図１２は、通信メッセージＭ２０４：サービス処理実行指示を示す図である。
【００１６】
図１３は、映像表示制御装置１２１、２２１の構成を示す図である。図１４は、映像出力制御装置１１１、２１１の構成を示す図である。図１５は、映像表示装置のエラーメッセージの画面イメージを示す図である。図１６は映像表示装置のソフトウェア要求確認メッセージ画面イメージを示す図である。
【００１７】
これより、本実施形態のシークエンスとデータフローについて説明する。映像伝送処理の多種多様なサービス要件に基づき、映像出力装置が、映像伝送における映像配信データに応じた映像出力処理を実現するものである。まず、最初に映像伝送処理を処理する為の事前処理を行う。地点Ａの映像表示制御装置１２１は、地点Ｂの映像表示制御装置２２１に対して、サービス定義受信用のクライアントアプリケーションを要求する。要求を受けた地点Ｂの映像表示制御装置２２１は、地点Ａの映像表示制御装置１２１をサービス利用登録者であるかどうかを認証する。
【００１８】
認証に問題がなければ、サービス定義受信用のクライアントアプリケーションを地点Ａの映像表示制御装置１２１に送信する。サービス定義受信用のクライアントアプリケーションのデータは、地点Ａの映像表示制御装置１２１の通信Ｉ／Ｆ部１３０２０を経由し、制御部１３０４０の制御指示により、地点Ａの映像表示制御装置１２１のＲＡＭ１３０９０上に記憶する。
【００１９】
次に、機器状態の確認要求処理を行う。地点Ａの映像表示制御装置１２１は、現在の機器状態の確認要求を地点Ａの映像出力制御装置１１１に送信する。受信した映像出力制御装置１１１は、地点Ａの映像出力装置１１０の機器状態を収集し、図９の通信メッセージＭ２０１：現在の機器状態情報に、収集情報をセットし、その通信メッセージＭ２０１を前記映像表示制御装置１２１に送信する。
【００２０】
映像表示制御装置１２１は、前記通信メッセージＭ２０１を受信する。通信メッセージＭ２０１の機器ＩＤが存在しない場合、地点Ａの機器状態ＤＢ１２３に通信メッセージＭ２０１のデータ内容を新規登録する。また、機器ＩＤが存在する場合は、通信メッセージＭ２０１のデータ内容を前記機器ＩＤにより上書き更新する。この機器状態の確認要求処理は、本システムに定められた一定間隔のもとに、随時新規登録／上書き更新される。このように、地点Ａの表示デバイス用通信アダプタ（映像表示制御装置１２１）が地点Ａのネットワーク上で他の通信アダプタ（映像出力制御装置１１１）の入出力機能・デバイス状態情報を検出する（検出手段による処理例）。
【００２１】
次に、映像伝送要求処理を行う。地点Ａの映像出力制御装置１１１から地点Ａの映像表示制御装置１２１へ、図１０の通信メッセージＭ２０２：映像伝送要求情報を送信する。受信した映像表示制御装置１２１は、地点Ｂの映像表示制御装置２２１へ前記通信メッセージＭ２０２を転送する。
【００２２】
その後、図３の処理Ｓ３０００〜Ｓ３９９９に制御が移る。処理Ｓ３０００において、処理を開始する。処理Ｓ３０１０において、地点Ｂの映像表示制御装置２２１が、前記通信メッセージＭ２０２を受信する。処理Ｓ３０３０において、通信メッセージＭ２０２のユーザＩＤから、該ユーザが地点ＢのサービスリストＤＢ２５１に存在するかどうか確認する。処理Ｓ３０４０において、存在すると判断した場合、この時点で、地点ＡのサービスリストＤＢ１５１のサービスリスト回数に１を加算する。また、処理Ｓ３０５０において、図１１の通信メッセージＭ２０３：サービス定義情報を地点ＢのサービスリストＤＢ２５１のＤＢレイアウト６０１とＤＢレイアウト６０２から移送する。処理Ｓ３０６０において、前記通信メッセージＭ２０３を映像表示制御装置１２１へ送信する。処理Ｓ３９９９において、処理を終了する。
【００２３】
次に、図４の処理Ｓ４０００〜Ｓ４９９９に制御が移る。処理Ｓ４０００において、処理を開始する。処理Ｓ４０１０において、地点Ｂの映像表示制御装置２２１から通信メッセージＭ２０３を受信する。処理Ｓ４０２０において、通信メッセージＭ２０３のサービスＩＤから地点Ａの機器状態ＤＢ１２３を検索する。地点Ａの機器状態ＤＢ１２３のデータ項目であるサービス処理が"ＰＲＴ"であれば、機能ＩＤの上３桁が"ＰＲＴ"のものだけを抽出する。
【００２４】
処理Ｓ４０３０において、抽出されたデータと地点Ａの機器状態ＤＢ１２３のサービス定義情報を比較する。処理Ｓ４０５０において、それぞれの項目に合致もしくは範囲内であるものが存在するかどうか判別する。例えば、印刷サイズの場合は、最大値と最小値の内包的比較、カラーであれば、色空間の内包的比較を行う。存在する場合、処理Ｓ４０６０において、地点Ａの映像出力制御装置１１１に対してサービスの実行を指示する。存在しない場合、処理Ｓ４０７０において、図５の処理Ｓ５０００〜Ｓ５９９９に制御が移る。このように、地点Ａの表示デバイス用通信アダプタ（映像表示制御装置１２１）が地点Ｂの配信コンテンツ形式情報と地点Ａの入出力デバイスの入出力機能との機能適合性を判定する（デバイス機能判定・調停手段による処理例）。
【００２５】
次に、処理Ｓ５０００において、処理を開始する。処理Ｓ５０１０において、地点Ａの機器状態ＤＢ１２３の機器ＩＤ、ＩＰアドレス、デバイス種別をキー項目として、地点Ａの機器機能モジュールリストＤＢ１２２を検索する。処理Ｓ５０３０において、該当するモジュールが存在するかどうか判定する。存在する場合、処理Ｓ５０４０において、機器モジュールリスト情報とサービス定義情報を比較する。存在しない場合、処理Ｓ５０６０において、映像表示装置に、図１５の地点Ａの映像表示装置のエラーメッセージ画面イメージと同様のエラーメッセージを表示する。
【００２６】
処理Ｓ５０５０において、それぞれの項目に合致もしくは範囲内であるものが存在するかどうか判別する。例えば、出力サイズの場合は、最大値と最小値の内包的比較、色であれば、色空間の内包的比較を行う。該ソフトウェアモジュールが存在する場合、地点Ａの映像出力制御装置１１１に対してサービスの実行を指示する。該ソフトウェアモジュールが存在しない場合、地点Ａの映像表示制御装置１２１から、地点Ｂの映像表示制御装置２２１へ、ソフトウェアの要求メッセージとして、図１０の通信メッセージＭ２０３：サービス定義情報を送信する。以上が、地点Ｂの配信コンテンツ形式情報と地点Ａの入出力デバイスが保有するソフトウェアの機能適合性を判定するソフトウェア機能判定・調停手段による処理例である。
【００２７】
次に、処理Ｓ５０００において、処理を開始する。処理Ｓ５０１０において、地点Ｂの機器状態ＤＢ２２３の機器ＩＤ、ＩＰアドレス、デバイス種別をキー項目として、地点Ｂの機器機能モジュールリストＤＢ２２２を検索する。処理Ｓ５０３０において、該当するモジュールが存在するかどうか判定する。存在する場合、処理Ｓ５０４０において、機器モジュールリスト情報とサービス定義情報を比較する。存在しない場合、図１０の通信メッセージＭ２０３：サービス定義情報の実行可否に実行不可のフラグとして、"１"をセットする。処理Ｓ５０６０において、映像表示装置に、図１５の地点Ａの映像表示装置のエラーメッセージ画面イメージと同様のエラーメッセージを表示する。
【００２８】
処理Ｓ５０５０において、それぞれの項目に合致もしくは範囲内であるものが存在するかどうか判別する。例えば、出力サイズの場合は、最大値と最小値の内包的比較、色であれば、色空間の内包的比較を行う。存在する場合、地点Ａの映像出力制御装置１１１に対してサービスの実行を指示する。上記処理においても、該ソフトウェアモジュールが存在しない場合、処理Ｓ５０６０において、地点Ａの映像表示装置１２０に、図１５の地点Ａの映像表示装置のエラーメッセージ画面イメージと同様のエラーメッセージを表示する。処理Ｓ５０７０において、地点Ａの映像出力制御装置１１１に対して、前記ソフトウェアモジュールをインストールし、サービスの実行を指示する。以上が、地点Ｂの配信コンテンツ形式情報と地点Ｂの入出力デバイスが保有するソフトウェアの機能適合性を判定するソフトウェア機能判定・調停手段、通知手段、インストール手段による処理例である。
【００２９】
サービスの実行後には、該ソフトウェアモジュールをアンインストールする。また、アンインストール後に、上記と同様の映像出力処理が数回発生すると判断したときには、以下の処理を実行する。地点ＡのサービスリストＤＢ１５１のサービスリスト回数が、５回以上の場合、図１６の地点Ａの映像表示装置のソフトウェア要求確認メッセージ画面イメージを表示させる。
【００３０】
ユーザが、Ｙｅｓが選択したときには、コンテンツ配信サーバ３００に対して、該ソフトウェアモジュールのダウンロード要求を行い、地点Ａの映像表示制御装置１２１に、完全インストールする。Ｎｏが選択されたときには、何もしない。処理Ｓ５９９９において、処理を終了する。
【００３１】
本実施形態により、映像伝送処理の多種多様なサービス要件に基づき、映像出力装置が、映像伝送における映像配信データに応じた映像出力処理を実現する。
【００３２】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３３】
この場合、記憶媒体から読み出されたプログラムコード自体が上述した実施形態の機能を実現することになり、プログラムコード自体及びそのプログラムコードを記憶した記憶媒体は本発明を構成することになる。
【００３４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３５】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００３６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３７】
【図１】地点間映像出力システムのシステム概要を示す図である。
【図２】地点間映像出力システムの全体フローを示す図である。
【図３】処理Ｓ３０００〜Ｓ３９９９のフローチャートである。
【図４】処理Ｓ４０００〜Ｓ４９９９のフローチャートである。
【図５】処理Ｓ５０００〜Ｓ５９９９のフローチャートである。
【図６】サービスリストＤＢのデータベース構成を示す図である。
【図７】機器状態ＤＢのデータベース構成を示す図である。
【図８】機器機能モジュールリストＤＢのデータベース構成を示す図である。
【図９】通信メッセージＭ２０１：現在の機器状態情報を示す図である。
【図１０】通信メッセージＭ２０２：映像伝送要求情報を示す図である。
【図１１】通信メッセージＭ２０３：サービス定義情報を示す図である。
【図１２】通信メッセージＭ２０４：サービス処理実行指示を示す図である。
【図１３】映像表示制御装置の構成を示す図である。
【図１４】映像出力制御装置の構成を示す図である。
【図１５】地点Ａの映像表示装置のエラーメッセージ画面イメージを示す図である。
【図１６】地点Ａの映像表示装置のソフトウェア要求確認メッセージ画面イメージを示す図である。
【符号の説明】
【００３８】
３００  ソフトウェア配信サーバ
１１０  地点Ａの映像出力装置（地点Ａの出力デバイス）
１１１  地点Ａの映像出力制御装置（地点Ａの出力デバイス用通信アダプタ）
１１２  地点Ａの機器機能モジュールリストＤＢ（地点Ａの入出力機能・デバイス状態情報）
１２０  地点Ａの映像表示装置（地点Ａの表示デバイス）
１２１  地点Ａの映像表示制御装置（地点Ａの表示デバイス用通信アダプタ）
１２２  地点Ａの機器機能モジュールリストＤＢ（地点Ａのインストール情報）
１２３  地点Ａの機器状態ＤＢ（地点Ａの入出力機能・デバイス状態情報）
１５１  地点ＡのサービスリストＤＢ（地点Ａの配信コンテンツ形式情報）
２１０  地点Ｂの映像出力装置（地点Ｂの出力デバイス）
２１１  地点Ｂの映像出力制御装置（地点Ｂの出力デバイス用通信アダプタ）
２１２  地点Ｂの機器機能モジュールリストＤＢ（地点Ｂの入出力機能・デバイス状態情報）
２２０  地点Ｂの映像表示装置（地点Ｂの表示デバイス）
２２１  地点Ｂの映像表示制御装置（地点Ｂの表示デバイス用通信アダプタ）
２２２  地点Ｂの機器機能モジュールリストＤＢ（地点Ｂのインストール情報）
２２３  地点Ｂの機器状態ＤＢ（地点Ｂの入出力機能・デバイス状態情報）
２５１  地点ＢのサービスリストＤＢ（地点Ｂの配信コンテンツ形式情報）
【図１】
2008146316.tif 000003
【図２】
2008146316.tif 000004
【図３】
2008146316.tif 000005
【図４】
2008146316.tif 000006
【図５】
2008146316.tif 000007
【図６】
2008146316.tif 000008
【図７】
2008146316.tif 000009
【図８】
2008146316.tif 000010
【図９】
2008146316.tif 000011
【図１０】
2008146316.tif 000012
【図１１】
2008146316.tif 000013
【図１２】
2008146316.tif 000014
【図１３】
2008146316.tif 000015
【図１４】
2008146316.tif 000016
【図１５】
2008146316.tif 000017
【図１６】
2008146316.tif 000018